(57)【要約】【技術課題】フローリング床材のみを簡単に交換できる温水式床暖房装置とその施工法を提供する。【解決手段】マット本体２の表面に放熱シート７及びポリエチレンフィルム等から成る剥離層８を設ける。このように構成した温水マット１を下地１２上に直貼りし、次に、フローリング床材１０の裏面に接着剤１３を塗布し、この接着剤１３を塗布したフローリング床材１０を前記温水マット１の剥離層８の表面に貼り付ける。次に、フローリング床材１０を貼り替える場合には、フローリング床材１０を剥離層８上で引き剥がし、次に、新規のフローリング床材１０の裏面に接着剤１３を塗布し、これを剥がしとった後の剥離層８の表面に貼り付ける。このように、本発明によると、フローリング床材１０のみを交換することができるため、フローリング床材１０が損傷した際の貼り替えにおいて、施工期間の短縮と、経費の削減及び省資源化を図ることができる。【選択図】図４
2008185244.tif 000002
【特許請求の範囲】
【請求項１】
マット本体の表面に形成した溝内に放熱管を配管すると共に、この放熱管を含むマット本体の表面に放熱シートを貼り合わせて成る床暖房用温水マットにおいて、前記放熱シートの表面に剥離層を形成する、
次に、前記温水マットの裏面に接着剤を塗布してこれを下地上に直貼りする、
次に、フローリング床材の裏面に接着剤を塗布し、この接着剤を塗布したフローリング床材を前記温水マットの剥離層の表面に貼り付ける、
次に、上記施工後においてフローリング床材を貼り替える場合には、フローリング床材を温水マット側の剥離層の表面で剥がしとる、
次に、新規のフローリング床材の裏面に接着剤を塗布し、これを剥がしとった後の温水マット上の剥離層の表面に貼り付ける、
ことを特徴とする温水式床暖房装置におけるフローリング床材の貼り替え方法。
【請求項２】
前記マット本体は、発泡剤で成形された板状を呈し、このマット本体の裏面には、一定の深さから成るスリット又は任意形状の穴が形成されていると共に、更に、この表面には、吸音材が貼り合わせてある、ことを特徴とする請求項１に記載の温水式床暖房装置におけるフローリング床材の貼り替え方法。
【請求項３】
前記剥離層は、ポリエチレンフィルムで形成されている、ことを特徴とする請求項１又は２に記載の温水式床暖房装置におけるフローリング床材の貼り替え方法。
【請求項４】
前記放熱シートには、アルミニュウム箔が用いられている、ことを特徴とする請求項１〜３の何れか１項に記載の温水式床暖房装置におけるフローリング床材の貼り替え方法。
【請求項５】
マット本体の表面に形成した溝内に放熱用の温水管を配管すると共に、この温水管を含むマット本体の表面に放熱シートを貼り合わせ、更に、この放熱シートの表面に剥離層を形成して成る温水マットと、施工現場において裏面に接着剤を塗布して下地上に直貼りされている前記温水マットの剥離層の表面に、接着剤を用いて貼り付けられるフローリング床材と、から成るフローリング床材を貼り替え自在に構成した温水式床暖房装置。
【請求項６】
フローリング床材を剥離層に貼り付ける接着剤の接着強度は、温水マット側において放熱シートを貼り付ける接着強度及び剥離層を放熱シートに貼り付ける接着強度及び剥離層の破断強度よりも小さいこと、を特徴とする請求項５に記載のフローリング床材を貼り替え自在に構成した温水式床暖房装置。
【発明の詳細な説明】
【技術分野】
【０００１】
本発明は、フローリング床材（コルク、塩ビタイルのような板状の床材を含む）を用いて床仕上げを行う温水式床暖房装置において、一旦温水マット上に接着剤を用いて貼り付けたフローリング床材を後で簡単に剥がしとって新しいフローリング床材に貼り替えることができる温水式床暖房装置と、このフローリング床材の貼り替え方法に関するものである。
【背景技術】
【０００２】
温水式床暖房装置において、温水マット上に接着剤を用いてフローリング床材を貼り付けて仕上げる施工法がある。この施工法によれば、フローリング床材に接着剤を塗布し、これを温水マット上に貼り付けるだけのため、施工が簡単であり、経験を積まなくても施工ができることから、最近はこの接着剤方式での施工例が増加している。
【０００３】
しかし、この施工例においては、次のような問題がある。
１．一旦接着剤を用いて温水マット上にフローリング床材を貼り付けてしまうと、あとで  損傷したフローリング床材を新規のものに貼り替えたいときに、接着剤が温水マット側  に強固に固着しているため、フローリング床材を剥がし取ろうとすると、温水マット側  の放熱シートまでも剥がし取るようになったり、マット本体は発泡スチロール製のため  、このマット本体側も損傷してしまうことがある。このため、従来の場合、フローリン  グ床材の貼り替えに際しては、温水マットまでも交換する必要があり、この貼り替え作  業にコストと手間がかかる。
２．温水式床暖房装置の施工は、設備業者が行い、フローリング床の施工は内装業者が行  うようになっているため、両業者間の段取りに日数がかかる。
３．賃貸マンションのように、居住者の入れ替わりが早い住居の場合、フローリング床材  が汚れたり、損傷したりしていると、このフローリング床材だけを貼り替えて新規の入  居者を受け入れたいところであるが、上記のように温水マットまでも新規に貼り替えな  ければならないとなると、経費が嵩むばかりでなく、工期が長引くために、その間の賃  料収入もなくなる、という問題がある。このため、内装業者だけで短期間にフローリン  グ床材だけを貼り替えできる温水式床暖房装置の要望が強い。
３．通常、損傷したフローリング床材の貼り替え費用は、旧居住者が負担する例が多いた  め、温水マットを含めた貼り替え工事は高額になることから、トラブルとなるケースが  ある。
４．古いフローリング床材の廃棄に併せて、温水マットまでも廃棄することになるため、  資源の無駄との謗りを免れ難い。
以上のようなことから、温水式床暖房装置において、フローリング床材を両面粘着テープを用いて温水マット上に接着することにより、簡単にフローリング床材だけを剥離することができるようにした発明が特開平１１−２６４５５７号公報に掲載されている。
【特許文献１】特開平１１−２６４５５７号
【０００４】
しかし、この発明の場合、間隔を空けて両面粘着テープを貼り付けているため、施工後、この両面粘着テープの部分が局部的に固くなり、微妙な感触として足裏に伝わり、快適性に欠ける欠点があると共に、両面粘着テープの使用はコストの面からも不利である。
また、この発明の場合、粘着テープは間隔を空けて使用するため、この間隔の空いたところにフローリング床材の端がかかると、床材はしっかりと固定されず、反りや、反対に落ち込みにより隙間が発生したりする場合がある。
また、この両面粘着テープは、即効的に接着するため、フローリング床材を貼り付けるときに、隣接のフローリング床材側にズラしてホゾの嵌合を行う必要があるが、このズラしができないために、実際にはフローリング床材の施工には適用できない。
【発明の開示】
【発明が解決しようとする課題】
【０００５】
本発明は、斯る点に鑑みて提供されるものであって、その目的は、フローリング床材だけを簡単に交換することができると共に、フローリング床材は、温水マットに対して全面に亘って均一に接着されることにより、全面の固さが均一化して、足裏の感触に快適性があり、更にフローリング床材の端に反りや落ち込み、あるいは隙間が発生しない、フローリング床材だけの貼り替えを可能にした温水式床暖房用装置と、このフローリング床材の貼り替え方法を提供することである。
【課題を解決するための手段】
【０００６】
上記目的を達成するために提案する温水式床暖房用装置とこの施工法は次の通りである。
【０００７】
請求項１に記載の発明においては、温水式床暖房装置におけるフローリング床材の貼り替え方法において、マット本体の表面に形成した溝内に放熱管を配管すると共に、この放熱管を含むマット本体の表面に放熱シートを貼り合わせて成る床暖房用温水マットにおいて、前記放熱シートの表面に剥離層を形成する、
次に、前記温水マットの裏面に接着剤を塗布してこれを下地上に直貼りする、
次に、フローリング床材の裏面に接着剤を塗布し、この接着剤を塗布したフローリング床材を前記温水マットの剥離層の表面に貼り付ける、
次に、上記施工後においてフローリング床材を貼り替える場合には、フローリング床材を温水マット側の剥離層の表面で剥がしとる、
次に、新規のフローリング床材の裏面に接着剤を塗布し、これを剥がしとった後の温水マット上の剥離層の表面に貼り付ける、
ことを特徴とするものである。
【０００８】
更に、請求項２に記載の発明においては、請求項１に記載の温水式床暖房装置におけるフローリング床材の貼り替え方法において、前記マット本体は、発泡剤で成形された板状を呈し、このマット本体の裏面には、一定の深さから成るスリット又は任意形状の穴が形成されていると共に、更に、この表面には、吸音材が貼り合わせてある、ことを特徴とするものである。
この発明によると、階上の音が階下に伝わりにくい効果がある。
【０００９】
更に、請求項３に記載の発明においては、請求項１又は２に記載の温水式床暖房装置におけるフローリング床材の貼り替え方法において、前記剥離層は、ポリエチレンフィルムで形成されている、ことを特徴とするものである。
【００１０】
更に、請求項４に記載の発明においては、請求項１〜３の何れか１項に記載の温水式床暖房装置におけるフローリング床材の貼り替え方法において、前記放熱シートには、アルミニュウム箔が用いられている、ことを特徴とするものである。
【００１１】
更に、請求項５に記載の発明においては、フローリング床材を貼り替え自在に構成した温水式床暖房装置において、マット本体の表面に形成した溝内に放熱用の温水管を配管すると共に、この温水管を含むマット本体の表面に放熱シートを貼り合わせ、更に、この放熱シートの表面に剥離層を形成して成る温水マットと、施工現場において裏面に接着剤を塗布して下地上に直貼りされている前記温水マットの剥離層の表面に、接着剤を用いて貼り付けられるフローリング床材と、から成ることを特徴とするものである。
【００１２】
更に、請求項６に記載の発明においては、請求項５に記載のフローリング床材を貼り替え自在に構成した温水式床暖房装置において、フローリング床材を剥離層に貼り付ける接着剤の接着強度は、温水マット側において放熱シートを貼り付ける接着強度及び剥離層を放熱シートに貼り付ける接着強度及び剥離層の破断強度よりも小さいこと、を特徴とするものである。
【発明の効果】
【００１３】
本発明によると、温水マット上に貼り付けられた放熱シート上にポリエチレンフィルム等を貼り合わせた剥離層が形成されているため、フローリング床材の裏面に接着剤を現場で塗布し、これを前記剥離層上に貼り付けるようにして施工するため、貼り替えのためにフローリング床材に手を掛けて剥がしとるようにすると、フローリング床材の貼り付けに使用した接着剤は、放熱シート側の剥離層の表面から容易に剥離し、剥離層を含めて温水マット側までも剥がしとることはない。
【００１４】
この結果、温水マット側は無傷のため、再び新規のフローリング床材を接着剤で温水マット上に貼り付けることができる。
よって、フローリング床材の貼り替えは簡単であり、温水マットは既設のものそのままのため、従来の温水マットまでも交換する例に比較して貼り替え経費は数分の一で済むようになる。
【００１５】
また、工期も短く、内装業者だけ又は素人でもフローリング床材の交換を行うことができるため、特に賃貸住宅等においては、フローリング床材の貼り替えのために停止する新規入居者の受け入れ時期を早めることができる。
また、本発明によると温水マットをフローリング床材の貼り替えごとに廃棄しないで済むため、省資源対策にも寄与できる。
また、フローリング床材の貼り替えだけのため、温水マットまでも交換する旧貼り替え方法に比較して経費が数分の一となるため、旧住居者との間において補修費のことでトラブルとなることも少ない。
また、公知例で説明した両面接着テープ使用に比較して、足触りも良く、経年的にフローリング材が反ったりすることもない。
【実施例】
【００１６】
図１〜図６に基づいて本発明の実施例を詳述する。図１は、温水式床暖房装置の温水マットに本発明を実施した例の説明図、図２はＡ−Ａ´線拡大断面図、図３はフローリング床材の一部を示す断面図、図４（Ａ）〜（Ｄ）は、本発明に係る温水式床暖房装置の施工例と、フローリング床材の貼り替え工法の説明図、図５はフローリング床材を剥がし取っている状態の説明図、図６は遮音機能が付加されたフローリング床材の説明図である。
【００１７】
本発明に係る温水マット１は、図１及び図２に示すように、マット本体２の表面に配管溝３が蛇行するように形成してあり、この配管溝３には温水管４が配管されている。そして、この温水管４には、図外の熱源機で発生した約６０℃の温水が温水供給管５を経由して温水ヘッダー６のところに供給され、この温水が温水ヘッダー６から温水管４に供給されてマット本体２内を一巡して温水ヘッダー６のところに戻り、温水戻り管５ａから熱源機のところに返送され、この循環により温水管４から放熱が行われる構成である。
７は、温水管４が配管されたマット本体２の表面全体に貼り付けられたアルミニュウム箔製の放熱シートであって、温水管４から放熱された熱は、この放熱シート７の作用でマット本体２の全面から均一に放熱される。ここまでの構成は、公知の温水マットと同一である。
【００１８】
８は、本発明のポイントとなる構成であって、前記放熱シート７の上面全体に接着剤９で貼り付けられたポリエチレンフィルム製の剥離層である。なお、この剥離層８は、ポリエチレンフィルム以外のプラスチックフィルムでも良いが、コスト及び加工性からは、ポリエチレンフィルムが最適である。また、剥離層８となるポリエチレンフィルムの強度と放熱シート７に対する接着力は、後述するフローリング床材を貼り付けるときに使用する接着剤の接着強度以上の強度を保有することが条件である。
図３において、符号の１０はフローリング床材であって、このフローリング床材１０は公知のものと同一である。
【００１９】
次に、図４（Ａ）〜（Ｄ）を用いて温水式床暖房装置の施工例と、フローリング床材１０の貼り替え手順を説明する。図４（Ａ）は、温水マット１の裏面に接着剤１１を塗布した状態を示すもので、この接着剤１１を塗布した温水マット１は、（Ｂ）に示すように下地コンクリート１２の表面に直貼りされる。
（Ｃ）は、フローリング床材１０の裏面に現場で接着剤１３を塗布した状態を示すもので、このフローリング床材１０は、接着剤１３が乾かないうちにフローリング床材１０をずらしながらホゾ１４を嵌合させ、（Ｂ）で示した状態の温水マット１上に（Ｄ）に示すように貼り付ける。
以上が、フローリング床材１０の貼り付けまでの手順であって、これでフローリング床仕上げの温水式床暖房装置は完成する。
【００２０】
次に、フローリング床材１０について、貼り替えの必要が生じたときは、図５に示すように、フローリング床材１０の端に手を掛けて引き剥がしにかかると、このフローリング床材１０は、剥離層８の表面で簡単に剥れる。
次に、この剥れた跡に、図４（Ｃ）（Ｄ）の手順で新規のフローリング床材１０を貼り付ける。
以上が温水式床暖房装置の施工と、フローリング床材の貼り替えの手順であって、この貼り替え手順は、部屋全体は勿論のこと、部分的なフローリング床材１０の貼り替えにも適用できる。
図６は、フローリング床材１０において、遮音用のスリット又は穴１５を裏面に形成し、更にこの表面にウレタン等の吸音材１６を貼り付けた構成例であって、このフローリング１０の場合に接着剤１３は吸音材１６の表面に塗布される。
【図面の簡単な説明】
【００２１】
【図１】本発明に係る温水マットの説明図
【図２】Ａ−Ａ´線拡大断面図
【図３】フローリング床材の説明図
【図４】温水式床暖房装置の施工例を示すもので、（Ａ）は温水マットに接着剤を塗布した様子を示す説明図、（Ｂ）は温水マットを下地上に直貼りした様子を示す説明図、（Ｃ）はフローリング床材に接着剤を塗布した様子を示す説明図、（Ｄ）は床暖房装置の施工完成時の説明図
【図５】フローリング床材を剥がしている状態の説明図
【図６】遮音フローリング床材の説明図
【符号の説明】
【００２２】
１  温水マット
４  温水管
７  放熱シート
８  剥離層
１０  フローリング床材
【図１】
2008185244.tif 000003
【図２】
2008185244.tif 000004
【図３】
2008185244.tif 000005
【図４】
2008185244.tif 000006
【図５】
2008185244.tif 000007
【図６】
2008185244.tif 000008